(57)【要約】      （修正有）【課題】カップを４３センチメートル（１７インチ）オーバーさせる微妙なタッチが習得できるパット＆チップショット練習機を提供する。【解決手段】全長３メートルの緩やかな登り斜面に敷設した人工グリーンマット３の最上部に、前後４３センチメートルの間隔で、口径９センチメートルのカップ１、２を２個設置し、１番目のファーストカップ１には着脱キャップ１５の装着に依り、ファーストカップ１上でボール２２ａを通過させ、２番目のセカンドカップ２には濾斗板２ａに依り、カップインを制限する仕組みで、パットに重要な微妙なタッチを習得する。【選択図】図１
0003203155.tif 000002
【実用新案登録請求の範囲】
【請求項１】
全長約３メートルのうち、長さ約２．７メートル、幅約１５センチメートル程の板材をベース板として、その片面に敷設した人工グリーンマットに依って、一端から他端へ緩やかに登り斜面が形成される。一端側の約２５センチメートル程の領域に水平の人工芝マットを設置し、ここをセットアップ部と呼称する。他端側の約７０センチメートル程の領域を本体部と呼称し、セットアップ部から本体部方向へ、ファーストグリーン部〜セカンドグリーン部が形成される。約９０センチメートルのファーストグリーン部と約１１５センチメートルのセカンドグリーン部は、其々のベース板の一端に設けた第１接合部で繋がれ、セカンドグリーン部と本体部も其々のベース板の一端に設けた第２接合部で繋がれている。また、ファーストグリーン部とセカンドグリーン部は其々のベース板の中央に折畳み部を設け、蝶番式に折畳める構造である。本体部には、前後４３センチメートルの間隔で口径約９センチメートルのカップを２個設置し、１番目のファーストカップには着脱キャップを設け、着脱キャップを取外してファーストカップにカップインさせたり、着脱キャップを装着してファーストカップ上でボールを通過させる仕組みである。２番目のセカンドカップには、カップの入口にすり鉢状の濾斗板を設け、ボールのスピードによりセカンドカップのカップインを制限する仕組みである。ボールはカップインした時はトンネルから、外した時は左右の側溝から外部へ出る。以上の構成を特徴とする本考案のパット＆チップショット練習機「Ｗカップ」。
【請求項２】
本考案のセットアップ部は、他の領域よりも薄く、厚みを約８ミリメートルに抑えた、衝撃音の小さい人工芝マットで、パットとチップショットの２種類の練習ができる構成を特徴とする請求項１に記載のパット＆チップショット練習機「Ｗカップ」。
【請求項３】
セカンドグリーン部の中抜きによる拡縮で、全長３メートルの実施形態から全長１．８メートルの実施形態に縮小する構成を特徴とする請求項１に記載のパット＆チップショット練習機「Ｗカップ」。
【請求項４】
本体部とセカンドグリーン部及びファーストグリーン部（含、セットアップ部）が其々分離する構造であり、ベース板に設けた第１接合部と第２接合部で分離し、セカンドグリーン部とファーストグリーン部を其々折り畳んで、本体部に重ねた収納形態に依り、省スペースの収納を特徴とする請求項１に記載のパット＆チップショット練習機「Ｗカップ」。
【考案の詳細な説明】
【技術分野】
【０００１】
本考案は、パットの微妙なタッチを習得し、併せてチップショットで寄せを習得する、ゴルフ練習機である。
【背景技術】
【０００２】
従来のパター練習機は、２〜３メートルの帯状人工グリーンマットの一端に傾斜をつけ、傾斜面の最上部に設けたカップを目標にパットを行うものが一般的であったが、パットはカップイン時のボールのスピードが解れば、そのスピードに対応してストロークを調整する事ができる。しかしながらカップイン時のボールのスピードは不明である。先行技術には、グリーン上に設置する練習用仮想ホール（特許文献１参照）で、ボールはカップをどれくらい超えて止まるのかを実感できるものがある。また、パター練習用マット（非特許文献１参照）で、赤外線センサーによりカップイン時のボールのスピードや、カップインしないボールがカップをどれくらいオーバーしたかを測定して液晶に表示するものがある。
【先行技術文献】
【特許文献】
【０００３】
【特許文献１】特開２００８−４９５号公報
【非特許文献】
【０００４】
【非特許文献１】朝日ゴルフ用品のパター練習用マット「バーディーマン」
【考案の概要】
【考案が解決しようとする課題】
【０００５】
先行技術で、カップイン時のボールのスピードに関与したパター練習機は、カップをどれくらいオーバーしたかを、実感したり、液晶表示をするものがあった。しかし、これではコースグリーンでカップインの確率を上げることは難しい課題である。カップインの確率を上げるには、カップを４３センチメートルオーバーした位置にボールを止める微妙なタッチの習得が必要である。アメリカに於いて実際のコースグリーンを使って実験した結果によると、パットはカップまでの距離に関係なく、１７インチ（４３センチメートル）オーバーさせるボールのスピードが、最もカップインの確率が高いことが判明している（河合書房新社発行〜パターが面白いようにはいる本p88）。 本考案はこの様な問題点を解決する為になされたものである。
【課題を解決するための手段】
【０００６】
全長約３メートルのうち、長さ約２．７メートル、幅約１５センチメートル程の板材をベース板として、その片面に敷設した人工グリーンマットに依って、一端から他端へ緩やかに登り斜面が形成される。一端側の約２５センチメートル程の領域に水平の人工芝マットを設置し、ここをセットアップ部と呼称する。他端側の約７０センチメートル程の領域を本体部と呼称し、セットアップ部から本体部方向へ、ファーストグリーン部〜セカンドグリーン部が形成される。約９０センチメートル程のファーストグリーン部と約１１５センチメートル程のセカンドグリーン部は、其々のベース板の一端に設けた第１接合部で繋がれ、セカンドグリーン部と本体部も其々のベース板の一端に設けた第２接合部で繋がれている。また、ファーストグリーン部とセカンドグリーン部は其々のベース板の中央に折畳み部を設け、蝶番式に折畳める構造である。本体部には、前後４３センチメートルの間隔で口径約９センチメートルのカップを２個設置し、１番目のファーストカップには着脱キャップを設け、着脱キャップを取外してファーストカップにカップインさせたり、着脱キャップを装着してファーストカップ上でボールを通過させる仕組みである。２番目のセカンドカップには、カップの入口にすり鉢状の濾斗板を設け、ボールのスピードによりセカンドカップのカップインを制限する仕組みである。ボールはカップインした時はトンネルから、外した時は左右の側溝から外部へ出る。以上の構成を特徴とする本考案のパット＆チップショット練習機「Ｗカップ」。
【０００７】
本考案のセットアップ部は、他の領域よりも薄く、厚みを約８ミリメートルに抑え、衝撃音の小さい人工芝マットで、パットとチップショットの２種類の練習ができる構成を特徴とする。
【０００８】
本考案は、セカンドグリーン部の中抜きによる拡縮で、全長３メートルの実施形態から全長１．８メートルの実施形態に縮小する構成を特徴とする。
【０００９】
本考案は、本体部とセカンドグリーン部及びファーストグリーン部（含、セットアップ部）が其々分離する構造であり、ベース板に設けた第１接合部と第２接合部で分離し、セカンドグリーン部とファーストグリーン部を其々折り畳んで、本体部に重ねた収納形態に依り、省スペースの収納を特徴とする。
【考案の効果】
【００１０】
本考案のパット＆チップショット練習機「Ｗカップ」は、全グリーンが緩勾配の登りで、微妙なタッチが習得しやすい構造である。後述のステップを踏んだ反復練習により、セカンドカップのカップインの確率が上がれば、微妙なタッチが身についてくる。 コースグリーンではカップの先４３センチメートルに仮想カップをイメージし、仮想カップにボールを運んで止めるイメージでパットを行えば、カップインの確率を上げる事が出来る。また本考案は、セットアップ側の人工芝マットでウエッジによるチップショットが行えるため、２種類の練習により其々の技術の習得が図れる。また分離や組立てが簡単であり、使用後は折り畳んで重ねて、省スペースの収納が可能である。ビギナーからベテランまで意外に難しく飽きずに練習できる。
【図面の簡単な説明】
【００１１】
【図１】本考案の斜視図
【図２】本考案の一部である着脱キャップの斜視図
【図３】本考案に於いて着脱キャップを取外した状態を示す斜視図
【図４】図１のａ−ｂ断面図
【図５】本考案に於いて全長１．８メートルに長さを縮小した状態を示す斜視図
【図６】本考案を接合部で分離した状態を示す斜視図
【図７】本考案の収納形態を示す斜視図
【考案を実施するための形態】
【００１２】
図１は、本考案の実施形態を示す斜視図であり、ファーストカップ（１）に着脱キャップ（１５）を装着して、セットアップ部からパター及びウエッジで打ち出したボール（２２a）が、セカンドカップ（２）にカップインするボールの軌道（２２b）を示している。
以下、本考案の実施の形態を説明する。
（イ）全長約３メートルのうち、長さ約２．７メートル、幅約１５センチメートル程のベース板（１１a〜１１d、 ８）に敷設している人工グリーンマットに依って、一端から他端へ緩やかに登り斜面が形成される。
（ロ）一端側の約２５センチメートル程の領域に、水平の人工芝マット（１４）を設置し、ここをセットアップ部と呼称する。この人工芝マット（１４）は人工グリーンマットに繋がれ、ここから登り斜面になる。
（ハ）他端側の約７０センチメートル程の領域を本体部とし、この本体部とセットアップ部の間に、ファーストグリーン部〜セカンドグリーン部が形成される。
（ニ）ベース板（１１a〜１１d、８）に敷設した人工グリーンマットは、ファーストグリーン部では走行グリーン（１０ｃ、１０d）、セカンドグリーン部では走行グリーン（１０a、１０b）、本体部では本体グリーン（３）、着脱キャップ（１５）の溝蓋部（１５e）では溝蓋グリーン（１５d）と呼称する。
（ホ）斜面の構成は、ファーストグリーン部とセカンドグリーン部の各ベース板（１１a、１１b、１１c）に設けた支柱（１２a、１２b、１２c）と本体部の基台（９）により、全ての勾配を約１.６度に設定している。
以下、ボールの軌道（２２b）に添って説明する。
（へ）一端側のセットアップ部の領域に、ベース板（１１d）に繋がれた長さ約２５センチメートルの水平の人工芝マット（１４）を設置し、この人工芝マット（１４）の略センターにボール（２２a）をセットして、セカンドカップ（２）のカップインを目標に、パター及びウエッジでボール（２２a）を打ち出す。
（ト）人工芝マット（１４）は厚さ約８ミリメートルで、クッションゴムシート（２０）の片面に人工芝マット（１４）を敷設し、クッションゴムシート（２０）の床側の片面には、滑り止めシート（２１）を貼り、チップショットによる振動や衝撃音を抑えた構造である。
（チ）セットアップ部から打ち出されたボール（２２a）は、ファーストグリーン部の長さ約９０センチメートルのベース板（１１d、１１c）に敷設した走行グリーン（１０d、１０ｃ）上を通過し、セカンドグリーン部へ進む。
（リ）セカンドグリーン部に届いたボール（２２a）は、セカンドグリーン部の長さ約１１５センチメートルのベース板（１１b、１１a）に敷設した走行グリーン（１０b、１０a）上を通過し、本体部へ進む。
（ヌ）本体部の長さ約７０センチメートルの領域には、本体グリーン（３）に前後４３センチメートルの間隔で口径約９センチメートルのカップを２個設置し、１番目のファーストカップ（１）には着脱キャップ（１５）の装着により、本体部に届いたボール（２２a）は、着脱キャップ（１５）上を通過する。
（ル）１番目のファーストカップ（１）と２番目のセカンドカップ（２）は、共に口径９０ミリメートルでコースグリーンのカップの口径１０８ミリメートルより小さくして、難易度を高めている。  
（ヲ）セカンドカップ（２）には、図４の断面図（図１のaーb側面の切断面）で示すように、カップの入口にすり鉢状の濾斗板（２a）を設け、セカンドカップ（２）に届いたボール（２２a）のスピードに応じて、カップインを制限している。
（ワ）セカンドカップ（２）に届いたボール（２２a）のスピードが遅く、ジャストタッチで届いた時は、ボール（２２a）は濾斗板（２a）上を旋回して濾斗板（２a）中央のホール入口（２b）に入り、トンネル（２c）を通り、トンネル出口（２d）から外部へ出る。
（カ）セカンドカップ（２）に届いたボール（２２a）のスピードが速い時は、ボール（２２a）は濾斗板（２a）の斜面を通過して上側溝（５）に入り、左右の側溝（６a、７a）を通り、溝出口（６b、７b）から外部へ出る。
（ヨ）左右の側溝（６a、7a）の入り具合で、セカンドカップ（２）を外す方向の傾向が判り、ボール（２２a）が濾斗板（２a）の斜面を通過する場合は、右に通過した時は左側溝へ入り、左に通過した時は右側溝へ入る。
【００１３】
図２は、本考案の一部である着脱キャップ（１５）の斜視図である。本体部に設置された口径９センチメートルのファーストカップ（１）に着脱キャップ（１５）を装着して、着脱キャップ（１５）上でボールを通過させるものである。着脱キャップ（１５）上面のセンターにある直径５センチメートルの白色のガイドマーク（１５a）はパットやチップショットを行う時の目印である。また、着脱キャップ（１５）は、カップ溝出口（１a）上面の開口を塞ぐ溝蓋部（１５e）と一体の構造で、溝蓋部（１５e）には溝蓋グリーン（１５d）を敷設している。着脱キャップ（１５）の着脱方法は、上から差し込んで取付け、取外しは溝出口（７b）側から指を入れ、溝蓋（１５e）を持ち上げて外す。
【００１４】
図３は、本考案に於いて、着脱キャップ（１５）を取外した状態を示す斜視図である。ファーストカップ（１）に装着した着脱キャップ（１５）を取外して、セットアップ部からパター及びウエッジで打ち出したボール（２２a）が、ファーストカップ（１）にカップインするボールの軌道（２２b）を示している。セットアップ部から打ち出されたボール（２２a）がファーストカップ（１）に届くまでは、図１でボールの軌道（２２b）に添って説明した通りである。ファーストカップ（１）にカップインしたボール（２２a）は、カップ溝出口（１a）を通り外部に出る。
【００１５】
図５は、本考案に於いて、長さ約１１５センチメートルのセカンドグリーン部を中抜きし、全長約１．８メートルに縮小した状態を示す斜視図である。ファーストカップ（１）に着脱キャップ（１５）を装着して、セットアップ部からパター及びウエッジで打ち出したボール（２２a）が、セカンドカップ（２）にカップインするボールの軌道（２２b）を示している。本考案はファーストグリーン部とセカンドグリーン部が其々のベース板（１１c、１１b）の一端に設けた第１接合部（１７）で繋がれ、セカンドグリーン部と本体部も其々のベース板（１１a、８）の一端に設けた第２接合部（１８）で繋がれている為、第１、第２接合部（１７、１８）に於いて、ベース板（１１a、１１c）を持上げて分離し、各部が取外せる構造である。また、分離したファーストグリーン部のベース板（１１c）に設けた第１接合部（１７）を、本体部の第２接合部（１８）に、上から差し込んで装着すれば、走行グリーン（１０c）と本体グリーン（３）が繋がる構造である。縮小時はファーストグリーン部のベース板（１１c）に蝶番（１６）で支持した可動柱（１３）を、９０度回し垂直に立てベース板（１１c、１１d））の傾きを固定する。長さの縮小により走行グリーン（１０c、１０d）の登り勾配が約２.８度になり、セットアップ部からパター及びウエッジで打ち出したボール（２２a）が本体部（６）に届かない時は、走行グリーン（１０c、１０d）上に止まらず、ゆっくり斜面を下り、セットアップ部にリターンする。
【００１６】
図６は本考案を接合部で分離した状態を示す斜視図である。本体部とセカンドグリーン部及びファーストグリーン部（含、セットアップ部）を示す。
【００１７】
図７は、本考案の収納形態を示す斜視図である。本体部とセカンドグリーン部及びファーストグリーン部を分離し、セカンドグリーン部とファーストグリーン部を折り畳んで本体部に重ねた外形は、縦約７０センチメートル、横約２４センチメートル、高さ約１４センチメートルになる。
【実施例】
【００１８】
本考案のパット＆チップショット練習機「Ｗカップ」で、微妙なタッチを習得するには、ステップを踏んだ練習が有効である。ステップ１とステップ２及び全長１.８メートルに縮小した実施形態に於ける実施例を次に説明する。
【００１９】
ステップ１〜図３に於いて、ファーストカップ（１）にカップインするボールの軌道（２２b）が示すように、パットの練習は先ずファーストカップ（１）のセンターからのカップインを目標に行う。セットアップ部の人工芝マットの略センターにボール（２２a）をセットし、パターで打ち出したボール（２２a）が左右に曲がらず、順回転するストレートボールが安定して打てる様に、ステップ１では方向性を重視し練習する。ベース板（１１a〜１１d）に敷設した幅約１５センチメートルの狭い走行グリーン（１０a〜１０d）は、第２接合部に於ける走行グリーン（１０a）の高さが、床から約５５ミリメートル高く、ボール（２２a）が落下する不安を伴ったラインとなり、方向性を習得するには好条件である。ファーストカップ（１）のカップインの確率が上がって来ればステップ２に進む。ステップ１では本番のコースプレイでの寄せを想定し、ウエッジでのチップショットの練習から始めるのも一考である。
【００２０】
ステップ２〜図１に於いて、ボールの軌道（２２b）が示すように、パットはセカンドカップ（２）のカップインを目標に練習する。ステップ１では方向性の向上を目指したが、ステップ２では、パットに 最も重要な距離感や微妙なタッチの習得を目指す。ステップ２では、セットアップ部でパターで打ち出したボール（２２a）が、ファーストカップ（１）に装着した着脱キャップ（１５）の中央にあるガイドマーク（１５a）上を通過し、４３センチメートル離れたセカンドカップ（２）に、ジャストタッチで届く距離感と微妙なタッチを習得する。コースグリーンのカップが本考案のファーストカップ（１）に相当するイメージで練習を繰り返し、セカンドカップ（２）のカップインの確率を上げる。
【００２１】
図５に於いて、全長１．８メートルに縮小した実施形態では、走行グリーン（１０c、１０d）の登り勾配が ２．８度になり、パットには厳しい斜面になる。実施方法は前述のステップ１とステップ２と同様である。ただ距離が短いので微妙なタッチが習得し易く、前述のステップ２でカップインの確率が上がらない時は実施してみる。また、ビギナーは此れから始めると微妙なタッチが習得し易い。
【産業上の利用可能性】
【００２２】
本考案のパット＆チップショット練習機「Ｗカップ」は、室内の平坦なスペースに置いて、距離感や微妙なタッチを習得する練習機である。練習機本体の分離や組立てが簡単であり、使用後は折り畳んで重ねて、省スペースの収納が可能である。また、パットとチップショットの２種類の練習が出来るため其々の技術の習得が図れるメリットもある。実施例の如くステップを踏んだ練習は、ビギナーからベテランまで意外に難しくて飽きずに練習できる。練習の成果が本番で発揮され、パットに自信がついて来れば、本番のプレー自体の楽しみに加え、家庭での練習も楽しくなる。本考案が、ゴルフ愛好家に汎用されれば、ゴルフ界の発展が期待できる。
【符号の説明】
【００２３】
１   ： ファーストカップ          
１a  ： カップ溝出口
２   ： セカンドカップ  
２a  ： 濾斗板
２b  ： ホール入口
２c  ： トンネル
２d  ： トンネル出口
３    ： 本体グリーン（人工グリーンマット）         
４    ： ガード             
５    ： 上側溝 
６a  ： 右側溝        
６b  ： 溝出口  
７a  ： 左側溝    
７ｂ ： 溝出口 
８   ： 本体ベース板  
９   ： 基台  
１０a〜１０d  ： 走行グリーン （人工グリーンマット）
１１a〜１１d  ： ベース板       
１２a〜１２c  ： 支柱 
１３  ： 可動柱  
１４  ： 人工芝マット  
１５  ：  着脱キャップ   
１５a ： ガイドマーク
１５b ： 埋設部
１５c ： 差し込み部
１５d ： 溝蓋グリーン （人工グリーンマット）
１５e ： 溝蓋部         
１６a、１６b ： 蝶番
１７   ： 第１接合部
１８   ： 第２接合部
１９a、１９b ： 折畳み部
２０   ： クッシヨンゴムシート
２１   ： 滑り止めシート
２２a  ： ボール
２２b  ：ボールの軌道
【図１】
0003203155.tif 000003
【図２】
0003203155.tif 000004
【図３】
0003203155.tif 000005
【図４】
0003203155.tif 000006
【図５】
0003203155.tif 000007
【図６】
0003203155.tif 000008
【図７】
0003203155.tif 000009
【手続補正書】
【提出日】平成28年1月18日(2016.1.18)
【手続補正１】
【補正対象書類名】実用新案登録請求の範囲
【補正対象項目名】全文
【補正方法】変更
【補正の内容】
【実用新案登録請求の範囲】
【請求項１】
長さ約２．７メートル、幅約１５センチメートル程の板材からなるベース板と、その片面に敷設された人工グリーンマットとを有し、一端から他端へ緩やかに登り斜面が形成された、全長約３メートルのパット及びチップショット練習機であって、一端側に設置された約２５センチメートル程のセットアップ部と、他端側に設置された約７０センチメートル程の本体部と、セットアップ部から本体部方向約９０センチメートルのファーストグリーン部と、約１１５センチメートルのセカンドグリーン部とを有し、ファーストグリーン部とセカンドグリーン部とは其々のベース板の一端に設けた第１接合部で繋がれ、セカンドグリーン部と本体部も其々のベース板の一端に設けた第２接合部で繋がれており、ファーストグリーン部とセカンドグリーン部は其々のベース板の中央に蝶番式の折畳み部が設けられており、本体部には、前後４３センチメートルの間隔で口径約９センチメートルのカップが２個設置されており、１番目のファーストカップには着脱キャップが設けられ、着脱キャップを取外してファーストカップにカップインさせたり、着脱キャップを装着してファーストカップ上でボールを通過させたりすることができ。２番目のセカンドカップには、カップの入口にすり鉢状の濾斗板が設けられ、ボールのスピードによりセカンドカップのカップインを制限することが可能であり、ボールはカップインした時はトンネルから、外した時は左右の側溝から外部へ出ることを特徴とするパット及びチップショット練習機。
【請求項２】
セットアップ部は、他の領域よりも薄く、厚みを約８ミリメートルに抑えた、衝撃音の小さい人工芝マットで形成されたことを特徴とする請求項１に記載のパット及びチップショット練習機。
【請求項３】
セカンドグリーン部の中抜きによる拡縮で、全長３メートルから全長１．８メートルに縮小できる構造を有することを特徴とする請求項１に記載のパット及びチップショット練習機。
【請求項４】
本体部とセカンドグリーン部及びファーストグリーン部が其々分離可能な構造であり、ベース板に設けた第１接合部と第２接合部で分離し、セカンドグリーン部とファーストグリーン部を其々折り畳んで、本体部に重ねた省スペースの収納形態にできることを特徴とする請求項１に記載のパット及びチップショット練習機。